(57)【要約】【課題】破損の恐れを低減することができるころ軸受を提供する。【解決手段】円錐ころ軸受は、円錐ころを収容するポケットを形成するように軸受の回転軸線に沿う方向に延びる複数の柱部１４ａ〜１４ｄ、およびこの複数の柱部１４ａ〜１４ｄを連結するように周方向に延びる連結部１５ｂを有し、外輪および内輪の間で周方向に順次連ねて配置される複数の保持器セグメント１１ａを備える。保持器セグメント１１ａは、ころ案内であり、柱部１４ａ〜１４ｄには、外径側の案内爪１８ｂ、１８ｃと、内径側の案内爪１７ａ〜１７ｄとが設けられている。ここで、内径側の案内爪１７ａ〜１７ｄの数は、外径側の案内爪１８ｂ、１８ｃの数以上である。【選択図】図１
2008298274.tif 000002
【特許請求の範囲】
【請求項１】
外輪と、内輪と、前記外輪および前記内輪の間に配置される複数のころと、前記ころを収容するポケットを形成するように軸受の回転軸線に沿う方向に延びる複数の柱部、およびこの複数の柱部を連結するように周方向に延びる連結部を有し、前記外輪および前記内輪の間で周方向に順次連ねて配置される複数の保持器セグメントとを備えるころ軸受であって、
前記保持器セグメントは、ころ案内であり、
前記柱部には、前記ポケットに収容されたころと外径側で接触する外径側の案内爪と、前記ポケットに収容されたころと内径側で接触する内径側の案内爪とが設けられており、
前記内径側の案内爪の数は、前記外径側の案内爪の数以上である、ころ軸受。
【請求項２】
前記内径側の案内爪は、前記ポケットの両側に位置する柱部に設けられている、請求項１に記載のころ軸受。
【請求項３】
前記内径側の案内爪を含み、軸受の回転軸線に直交する平面で切断した断面において、前記内径側の案内爪の案内面は、断面略円弧状であり、前記ころの転動面に沿う形状である、請求項１または２に記載のころ軸受。
【請求項４】
ころ軸受に備えられ、ころを収容するポケットを形成するように軸受の回転軸線に沿う方向に延びる複数の柱部、およびこの複数の柱部を連結するように周方向に延びる連結部を有し、外輪および内輪の間で周方向に順次連ねて配置される樹脂製のころ軸受の保持器セグメントであって、
ころ案内であり、
前記柱部には、前記ポケットに収容されたころと外径側で接触する外径側の案内爪と、前記ポケットに収容されたころと内径側で接触する内径側の案内爪とが設けられており、
前記内径側の案内爪の数は、前記外径側の案内爪の数以上である、ころ軸受の保持器セグメント。
【請求項５】
風力を受けるブレードと、
その一端が前記ブレードに固定され、ブレードとともに回転する主軸と、
固定部材に組み込まれ、前記主軸を回転自在に支持するころ軸受とを含む風力発電機の主軸支持構造であって、
前記ころ軸受は、外輪と、内輪と、前記外輪および前記内輪の間に配置される複数のころと、前記ころを収容するポケットを形成するように軸受の回転軸線に沿う方向に延びる複数の柱部、およびこの複数の柱部を連結するように周方向に延びる連結部を有し、前記外輪および前記内輪の間で周方向に順次連ねて配置される複数の保持器セグメントとを備えるころ軸受であって、
前記保持器セグメントは、ころ案内であり、
前記柱部には、前記ポケットに収容されたころと外径側で接触する外径側の案内爪と、前記ポケットに収容されたころと内径側で接触する内径側の案内爪とが設けられており、
前記内径側の案内爪の数は、前記外径側の案内爪の数以上である、風力発電機の主軸支持構造。
【発明の詳細な説明】
【技術分野】
【０００１】
この発明は、ころ軸受、ころ軸受の保持器セグメントおよび風力発電機の主軸支持構造に関し、特に、周方向に配置されて一つの保持器を形成するころ軸受の保持器セグメント、このようなころ軸受の保持器セグメントを含むころ軸受および風力発電機の主軸支持構造に関するものである。
【背景技術】
【０００２】
ころ軸受は、一般的には、外輪と、内輪と、外輪および内輪の間に配置される複数のころと、複数のころを保持する保持器とから構成される。保持器は通常、一体型、すなわち、環状の一つの部品で構成されている。
【０００３】
風を受けるためのブレードが取り付けられた風力発電機の主軸を支持するころ軸受については、大きな荷重を受ける必要があるため、ころ軸受自体も大型となる。そうすると、ころや保持器等、ころ軸受を構成する各構成部材も大型となり、部材の生産や組み立てが困難となる。このような場合、各部材を分割可能とすると、生産や組み立てが容易となる。
【０００４】
ここで、ころ軸受に含まれる保持器を、軸受の回転軸線に沿う方向に延びる分割線によって分割した分割型の保持器に関する技術が、ヨーロッパ特許公報１４０８２４８Ａ２（特許文献１）に開示されている。図９を参照して、保持器セグメント１０１ａは、円錐ころを収容する複数のポケット１０４を形成するように軸受の回転軸線に沿う方向に延びる複数の柱部１０３ａ、１０３ｂ、１０３ｃ、１０３ｄ、１０３ｅと、複数の柱部１０３ａ〜１０３ｅを連結するように周方向に延びる連結部１０２ａ、１０２ｂとを有する。
【０００５】
図１０は、図９に示した保持器セグメント１０１ａを含む円錐ころ軸受の一部を示す断面図である。図９および図１０を参照して、保持器セグメント１０１ａを含む円錐ころ軸受１１１の構成を説明すると、円錐ころ軸受１１１は、外輪１１２と、内輪１１３と、複数の円錐ころ１１４と、複数の円錐ころ１１４を保持する複数の保持器セグメント１０１ａ、１０１ｂ、１０１ｃ等とを有する。複数の円錐ころ１１４は、最もころの挙動が安定する位置であるＰＣＤ（Ｐｉｔｃｈ  Ｃｉｒｃｌｅ  Ｄｉａｍｅｔｅｒ）１０５付近において、複数の保持器セグメント１０１ａ等によって保持されている。複数の円錐ころ１１４を保持する保持器セグメント１０１ａは、周方向において隣接する同一形状の保持器セグメント１０１ｂ、１０１ｃと、周方向のもっとも外側にある柱部１０３ａ、１０３ｅが当接するように連なって配置されている。複数の保持器セグメント１０１ａ、１０１ｂ、１０１ｃ等が連なって、円錐ころ軸受１１１に組み込まれ、円錐ころ軸受１１１に含まれる一つの環状の保持器が形成される。
【特許文献１】ヨーロッパ特許公報１４０８２４８Ａ２
【発明の開示】
【発明が解決しようとする課題】
【０００６】
特許文献１に開示された保持器セグメント１０１ａ〜１０１ｃは、軌道輪案内である。これに対し、このような分割型の保持器セグメントをころ案内とすることにより、軌道輪との接触時における破損や衝突音等を防止することができる。
【０００７】
保持器セグメントをころ案内とするには、例えば、柱部に、ポケット側に突出し、保持器セグメントの移動を規制する内径側および外径側の案内爪を設ける。このような案内爪については、その数を多くすることにより、保持器セグメントの姿勢を安定させることができる。しかし、その数が多すぎると、形状が複雑になり、過剰品質となる。また、生産性も悪化することになる。
【０００８】
ここで、上記した用途においては、ころ軸受は、横軸で使用される。この場合、保持器セグメント間にすき間を有すると、保持器セグメントが自由落下し、保持器セグメント同士が衝突する場合がある。また、ころ軸受に大きなモーメント荷重が作用すると、ころ軸受のすき間が正であるか負であるかに関わらず、部分的に転動体荷重の非負荷域が発生する可能性がある。このような場合も保持器セグメントが自由落下し、保持器セグメント同士が衝突することになる。
【０００９】
衝突時において、保持器セグメントは、その形状から外輪側にはじかれるが、保持器セグメントがころ案内であると、外輪側にはじかれた際に、ころと保持器セグメントに設けられた内径側の案内爪とが衝突する。そうすると、衝突時に内径側の案内爪にモーメント荷重が作用する。このようなモーメント荷重が大きくなると、内径側の案内爪が設けられた柱部の根元部に応力が集中することになる。そうすると、保持器セグメントが破損する恐れがある。
【００１０】
この発明の目的は、保持器セグメントの破損の恐れを低減することができるころ軸受を提供することである。
【００１１】
この発明の他の目的は、破損の恐れを低減したころ軸受の保持器セグメントを提供することである。
【００１２】
この発明のさらに他の目的は、長寿命化を図ることができる風力発電機の主軸支持構造を提供することである。
【課題を解決するための手段】
【００１３】
この発明に係るころ軸受は、外輪と、内輪と、外輪および内輪の間に配置される複数のころと、ころを収容するポケットを形成するように軸受の回転軸線に沿う方向に延びる複数の柱部、およびこの複数の柱部を連結するように周方向に延びる連結部を有し、外輪および内輪の間で周方向に順次連ねて配置される複数の保持器セグメントとを備える。保持器セグメントは、ころ案内であり、柱部には、ポケットに収容されたころと外径側で接触する外径側の案内爪と、ポケットに収容されたころと内径側で接触する内径側の案内爪とが設けられている。ここで、内径側の案内爪の数は、外径側の案内爪の数以上である。
【００１４】
このように構成することにより、ころ案内の保持器セグメントの形状を比較的単純な形状としながら、保持器セグメント同士が衝突して保持器セグメントが外輪側にはじかれた際に、ころから内径側の各案内爪に負荷されるモーメント荷重を低減することができる。そうすると、内径側の案内爪が設けられた各柱部の根元部に生ずる応力を小さくすることができる。したがって、保持器セグメントの破損の恐れを低減することができる。
【００１５】
ここで、保持器セグメントとは、一つの環状の保持器を、少なくともころを収容する１つのポケットを有するように、軸受の回転軸線に沿う方向に延びる分割線によって分割した単位体である。複数の保持器セグメントが周方向に連なってころ軸受に組み込まれ、一つの環状の保持器を構成する。
【００１６】
好ましくは、内径側の案内爪は、ポケットの両側に位置する柱部に設けられている。こうすることにより、ポケットに収容されたころから負荷されるモーメント荷重を、ポケットの両側に位置する柱部に設けられた内径側の案内爪で受けることができる。したがって、各内径側の案内爪へのモーメント荷重を低減することができるため、さらに保持器セグメントの破損の恐れを低減することができる。
【００１７】
さらに好ましくは、内径側の案内爪を含み、軸受の回転軸線に直交する平面で切断した断面において、内径側の案内爪の案内面は、断面略円弧状であり、ころの転動面に沿う形状である。こうすることにより、ころと内径側の案内爪との接触時において、面で接触させることができ、エッジ当たりすることはない。したがって、ころの損傷や内径側の案内爪の摩耗を低減することができる。
【００１８】
この発明の他の局面においては、ころ軸受の保持器セグメントは、ころ軸受に備えられ、ころを収容するポケットを形成するように軸受の回転軸線に沿う方向に延びる複数の柱部、およびこの複数の柱部を連結するように周方向に延びる連結部を有し、外輪および内輪の間で周方向に順次連ねて配置され、樹脂製である。保持器セグメントは、ころ案内である。ここで、柱部には、ポケットに収容されたころと外径側で接触する外径側の案内爪と、ポケットに収容されたころと内径側で接触する内径側の案内爪とが設けられており、内径側の案内爪の数は、外径側の案内爪の数以上である。
【００１９】
このようなころ軸受の保持器セグメントは、比較的単純な形状としながら、保持器セグメント同士が衝突して外輪側にはじかれた際に、ころから内径側の各案内爪に負荷されるモーメント荷重を低減することができる。そうすると、内径側の案内爪が設けられた柱部の根元部に生ずる応力を小さくすることができる。したがって、破損の恐れを低減することができる。
【００２０】
この発明のさらに他の局面においては、風力発電機の主軸支持構造は、風力を受けるブレードと、その一端がブレードに固定され、ブレードとともに回転する主軸と、固定部材に組み込まれ、主軸を回転自在に支持するころ軸受とを含む。ころ軸受は、外輪と、内輪と、外輪および内輪の間に配置される複数のころと、ころを収容するポケットを形成するように軸受の回転軸線に沿う方向に延びる複数の柱部、およびこの複数の柱部を連結するように周方向に延びる連結部を有し、外輪および内輪の間で周方向に順次連ねて配置される複数の保持器セグメントとを備える。保持器セグメントは、ころ案内であり、柱部には、ポケットに収容されたころと外径側で接触する外径側の案内爪と、ポケットに収容されたころと内径側で接触する内径側の案内爪とが設けられている。ここで、内径側の案内爪の数は、外径側の案内爪の数以上である。
【００２１】
このような風力発電機の主軸支持構造は、ころ軸受に含まれる保持器セグメントの破損の恐れが低減されているため、長寿命化を図ることができる。
【発明の効果】
【００２２】
この発明によれば、ころ案内の保持器セグメントの形状を比較的単純な形状としながら、保持器セグメント同士が衝突して保持器セグメントが外輪側にはじかれた際に、ころから内径側の各案内爪に負荷されるモーメント荷重を低減することができる。そうすると、内径側の案内爪が設けられた各柱部の根元部に生ずる応力を小さくすることができる。したがって、保持器セグメントの破損の恐れを低減することができる。
【００２３】
また、このようなころ軸受の保持器セグメントは、比較的単純な形状としながら、保持器セグメント同士が衝突して外輪側にはじかれた際に、ころから内径側の各案内爪に負荷されるモーメント荷重を低減することができる。そうすると、内径側の案内爪が設けられた柱部の根元部に生ずる応力を小さくすることができる。したがって、破損の恐れを低減することができる。
【００２４】
また、このような風力発電機の主軸支持構造は、ころ軸受に含まれる保持器セグメントの破損の恐れが低減されているため、破損の恐れを低減することができる。
【発明を実施するための最良の形態】
【００２５】
以下、この発明の実施の形態を、図面を参照して説明する。図２は、この発明の一実施形態に係る円錐ころ軸受に備えられる円錐ころ軸受の保持器セグメント１１ａを示す斜視図である。図１は、図２に示す保持器セグメント１１ａを、図２中の線Ｉ−Ｉを含み、軸受の回転軸線に直交する平面で切断した場合の断面図である。図３は、図２に示す保持器セグメント１１ａを、柱部１４ａの中央を通り、円周方向に直交する平面で切断した場合の断面図である。図４は、保持器セグメント１１ａの一部を、図１中の矢印ＩＶの方向から見た図である。なお、理解の容易の観点から、図１および図３において、保持器セグメント１１ａが保持する複数の円錐ころ１２ａ、１２ｂ、１２ｃを点線で示している。また、一点鎖線でＰＣＤ２２を示す。
【００２６】
図１〜図４を参照して、まず、円錐ころ軸受に含まれる保持器セグメント１１ａの構成について説明する。保持器セグメント１１ａは、一つの環状の保持器を、少なくともころを収容する一つのポケットを有するように、軸受の回転軸線に沿う方向に延びる分割線によって分割した形状である。保持器セグメント１１ａは、円錐ころ１２ａ、１２ｂ、１２ｃを保持するポケット１３ａ、１３ｂ、１３ｃを形成するように、軸受の回転軸線に沿う方向に延びる４つの柱部１４ａ、１４ｂ、１４ｃ、１４ｄと、軸方向の両端に位置し、４つの柱部１４ａ〜１４ｄを連結するように周方向に延びる一対の連結部１５ａ、１５ｂとを含む。ここで、保持器セグメント１１ａは、その周方向外側の端部に柱部１４ａ、１４ｄが位置するよう構成されている。
【００２７】
一対の連結部１５ａ、１５ｂは、複数の保持器セグメント１１ａが円錐ころ軸受に組み込まれた際に、周方向に連なって一つの環状の保持器を形成するように、周方向において所定の曲率半径を有している。一対の連結部１５ａ、１５ｂのうち、円錐ころ１２ａ〜１２ｃの小径側に位置する連結部１５ａの曲率半径は、円錐ころ１２ａ〜１２ｃの大径側に位置する連結部１５ｂの曲率半径よりも小さく構成されている。
【００２８】
ポケット１３ａの周方向両側に位置する柱部１４ａ、１４ｂおよびポケット１３ｃの周方向両側に位置する柱部１４ｃ、１４ｄのうち、柱部１４ａ〜１４ｄの側壁面の内径側には、保持器セグメント１１ａの径方向外側への移動を規制する内径側の案内爪１７ａ、１７ｂ、１７ｃ、１７ｄが設けられている。案内爪１７ａ〜１７ｄは、ポケット１３ａ、１３ｃに収容された円錐ころ１２ａ、１２ｃと内径側で接触する。また、ポケット１３ｂの周方向両側に位置する柱部１４ｂ、１４ｃのうち、柱部１４ｂ、１４ｃの側壁面の外径側には、保持器セグメント１１ａの径方向内側への移動を規制する外径側の案内爪１８ｂ、１８ｃが設けられている。案内爪１８ｂ、１８ｃは、ポケット１３ｂに収容された円錐ころ１２ｂと外径側で接触する。各案内爪１７ａ〜１７ｄ、１８ｂ、１８ｃは、ポケット１３ａ〜１３ｃ側に突出した形状である。また、図１に示す断面において、各案内爪１７ａ〜１７ｄ、１８ｂ、１８ｃの案内面は、断面円弧状であって、円錐ころ１２ａ〜１２ｃの転動面に沿う形状である。このように内径側および外径側の案内爪１７ａ〜１７ｄ、１８ｂ、１８ｃを設けることにより、保持器セグメント１１ａを案内爪１７ａ〜１７ｄ、１８ｂ、１８ｃの案内面に接触させて、ころ案内とすることができる。なお、周方向外側に位置する柱部１４ａ、１４ｄの周方向外側の端面２１ａ、２１ｂは、平らである。
【００２９】
ここで、内径側の案内爪１７ａ〜１７ｄの数は、外径側の案内爪１８ｂ、１８ｃの数よりも多く構成されている。具体的には、保持器セグメント１１ａに設けられた内径側の案内爪１７ａ〜１７ｄは、４であり、外径側の案内爪１８ｂ、１８ｃは、２である。このように構成することにより、保持器セグメント１１ａの形状を比較的単純な形状としながら、後述するように、各柱部１４ａ〜１４ｄの根元部２３ａ、２３ｂへの応力を小さくすることができる。したがって、各柱部１４ａ〜１４ｄ、引いては、保持器セグメント１１ａの破損の恐れを低減することができる。
【００３０】
次に、上記した保持器セグメント１１ａを含む円錐ころ軸受の構成について説明する。図５は、複数の保持器セグメント１１ａ、１１ｂ、１１ｃ、１１ｄ等を周方向に配置させた円錐ころ軸受３１を、軸方向から見た概略断面図である。また、図６は、図５中においてＶＩで示す部分の拡大断面図である。ここで、保持器セグメント１１ｂ、１１ｃ、１１ｄは、保持器セグメント１１ａと同一形状であるため、その説明を省略する。なお、図５においては、保持器セグメント１１ａ等に保持される円錐ころを省略している。また、ここでは、複数の保持器セグメント１１ａ〜１１ｄのうち、最初に配置される保持器セグメントを保持器セグメント１１ａとし、最後に配置される保持器セグメントを保持器セグメント１１ｄとする。
【００３１】
図５および図６を参照して、円錐ころ軸受３１は、外輪３２と、内輪３３と、複数の円錐ころ３４と、複数の保持器セグメント１１ａ〜１１ｄとを備える。保持器セグメント１１ａ〜１１ｄは、周方向において、順次連ねられて無間隙に配置される。ここでは、まず、最初に保持器セグメント１１ａが配置され、次に、保持器セグメント１１ｂが保持器セグメント１１ａと当接するように、具体的には、保持器セグメント１１ａの端面２１ａと保持器セグメント１１ｂの端面２１ｃとが当接するように配置される。その後、保持器セグメント１１ｃが保持器セグメント１１ｂと当接するように、具体的には、保持器セグメント１１ｂの端面２１ｄと保持器セグメント１１ｃの端面２１ｅとが当接するように配置され、順次、保持器セグメントが配置されていき、最後に、保持器セグメント１１ｄが配置される。このようにして、周方向に連ねられて、保持器セグメント１１ａ〜１１ｄが配置される。この場合、最初の保持器セグメント１１ａと最後の保持器セグメント１１ｄとの間には、周方向のすき間３９を有する。このようなすき間３９は、保持器セグメント１１ａ〜１１ｄの熱膨張等を考慮して設けられている。
【００３２】
円錐ころ軸受３１は、横軸使用で回転軸（図示せず）に取り付けられる。ここで、円錐ころ軸受３１の稼動時において、保持器セグメント１１ａ〜１１ｄは公転運動を行なうが、この場合、保持器セグメント１１ａ〜１１ｄが自由落下し、保持器セグメント１１ａ〜１１ｄ同士が衝突する場合がある。また、回転軸に大きなモーメント荷重が負荷され円錐ころ軸受３１に非負荷域が生じた場合にも、保持器セグメント１１ａ〜１１ｄ同士が衝突する。ここで、図６において、保持器セグメント１１ａおよび保持器セグメント１１ｂが衝突すると、保持器セグメント１１ｂは、外輪３２側、すなわち、図６における矢印Ａの方向にはじかれる。この場合、保持器セグメント１１ｂに設けられた内径側の案内爪３６がポケットに収容された円錐ころ３４と接触する。ここで、内径側の案内爪３６の数が外径側の案内爪３７の数よりも多いため、内径側の各案内爪３６に負荷されるモーメント荷重を低減することができる。そうすると、各柱部３５の根元部に生ずる応力を小さくすることができる。したがって、保持器セグメント１１ｂの破損の恐れを低減することができる。
【００３３】
この場合、内径側の案内爪３６は、各ポケットの両側壁面に設けられている。したがって、衝突時において、ポケットに収容された円錐ころ３４から負荷されるモーメント荷重をポケットの両側に位置する内径側の案内爪３６で受けることができる。そうすると、各内径側の案内爪３６が受ける荷重を小さくすることができるため、さらに保持器セグメント１１ｂの破損の恐れを低減することができる。
【００３４】
また、上記した断面において、内径側の案内爪３６は、断面略円弧状であり、円錐ころ３４の転動面に沿う形状であるため、円錐ころ３４との接触時において、面で接触させることができ、エッジ当たりすることはない。したがって、円錐ころ３４の損傷や内径側の案内爪３６の摩耗を低減することができる。
【００３５】
なお、上記の実施の形態において、最初の保持器セグメント１１ａと最後の保持器セグメント１１ｄとの間に、周方向のすき間３９の寸法を調整する間座を、最後の保持器セグメント１１ｄに当接するように配置することにしてもよい。この場合、間座と最初の保持器セグメント１１ａとの間にすき間３９が生ずることになる。このように構成することにより、最初の保持器セグメント１１ａと最後の保持器セグメント１１ｄと周方向のすき間３９の寸法を調整とすることが、より容易になる。なお、この場合、間座は保持器セグメントと解釈すべきである。
【００３６】
図７および図８は、この発明の一実施形態に係るころ軸受を主軸支持軸受７５として適用した、風力発電機の主軸支持構造の一例を示している。主軸支持構造の主要部品を支持するナセル７２のケーシング７３は、高い位置で、旋回座軸受７１を介して支持台７０上に水平旋回自在に設置されている。風力を受けるブレード７７を一端に固定する主軸７６は、ナセル７２のケーシング７３内で、軸受ハウジング７４に組み込まれた主軸支持軸受７５を介して、回転自在に支持されている、主軸７６の他端は増速機７８に接続され、この増速機７８の出力軸が発電機７９のロータ軸に結合されている。ナセル７２は、旋回用モータ８０により、減速機８１を介して任意の角度に旋回させられる。
【００３７】
軸受ハウジング７４に組み込まれた主軸支持軸受７５は、この発明の一実施形態に係る円錐ころ軸受であって、外輪と、内輪と、外輪および内輪の間に配置される複数の円錐ころと、円錐ころを収容するポケットを形成するように軸受の回転軸線に沿う方向に延びる複数の柱部、およびこの複数の柱部を連結するように周方向に延びる連結部を有し、外輪および内輪の間で周方向に順次連ねて配置される複数の保持器セグメントとを備える。保持器セグメントは、ころ案内であり、柱部には、ポケットに収容された円錐ころと外径側で接触する外径側の案内爪と、ポケットに収容された円錐ころと内径側で接触する内径側の案内爪とが設けられている。ここで、内径側の案内爪の数は、外径側の案内爪の数よりも多い。
【００３８】
主軸支持軸受７５は、大きな風力を受けるブレード７７を一端に固定する主軸７６を支持するため、大きなモーメント荷重やスラスト荷重、ラジアル荷重等を受ける必要がある。ここで、ころを円錐ころとすることにより、大きなモーメント荷重等を受けることができる。
【００３９】
また、このような風力発電機の主軸支持構造は、円錐ころ軸受に含まれる保持器セグメントの破損の恐れが低減されているため、破損の恐れを低減することができる。
【００４０】
なお、上記の実施の形態においては、内径側の案内爪の数が外径側の案内爪の数よりも多くなる構成としたが、これに限らず、内径側の案内爪の数と外径側の案内爪の数とが同じであってもよい。こうすることによっても、ころ案内の保持器セグメントの形状を比較的単純な形状としながら、保持器セグメント同士が衝突して保持器セグメントが外輪側にはじかれた際に、内径側の案内爪に負荷されるモーメント荷重を低減することができる。
【００４１】
なお、上記の実施の形態においては、保持器セグメントに収容されるころとして、円錐ころを用いたが、これに限らず、円筒ころや針状ころ、棒状ころ等を用いてもよい。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４３】
この発明に係るころ軸受は、破損の恐れの低減が要求される場合に、有効に利用される。
【００４４】
また、この発明に係るころ軸受の保持器セグメントは、破損の恐れの低減が要求される場合に、有効に利用される。
【００４５】
また、この発明に係る風力発電機の主軸支持構造は、長寿命化が要求される場合に、有効に利用できる。
【図面の簡単な説明】
【００４６】
【図１】この発明の一実施形態に係る円錐ころ軸受に係る保持器セグメントを、軸受の回転軸線に直交する平面で切断した場合の断面図である。
【図２】この発明の一実施形態に係る円錐ころ軸受に含まれる保持器セグメントの斜視図である。
【図３】図２に示す保持器セグメントを、柱部の中央を通り、円周方向に直交する平面で切断した場合の断面図である。
【図４】この発明の一実施形態に係る円錐ころ軸受に含まれる保持器セグメントを図１中の矢印ＩＶの方向から見た図である。
【図５】複数の保持器セグメントを周方向に配置した場合の円錐ころ軸受の概略断面図である。
【図６】隣接する保持器セグメントを示す拡大断面図である。
【図７】この発明に係る円錐ころ軸受を用いた風力発電機の主軸支持構造の一例を示す図である。
【図８】図７に示す風力発電機の主軸支持構造の図解的側面図である。
【図９】従来における保持器セグメントの斜視図である。
【図１０】図９に示す保持器セグメントを、軸受の回転軸線に直交する平面で切断した場合の断面図である。
【符号の説明】
【００４７】
１１ａ，１１ｂ，１１ｃ，１１ｄ  保持器セグメント、１２ａ，１２ｂ，１２ｃ，３４  円錐ころ、１３ａ，１３ｂ，１３ｃ  ポケット、１４ａ，１４ｂ，１４ｃ，１４ｄ，３５  柱部、１５ａ，１５ｂ  連結部、１７ａ，１７ｂ，１７ｃ，１７ｄ，１８ｂ，１８ｃ，３６，３７  案内爪、２１ａ，２１ｂ，２１ｃ，２１ｄ，２１ｅ  端面、２２  ＰＣＤ、２３ａ，２３ｂ  根元部、３１  円錐ころ軸受、３２  外輪、３３  内輪、３９  すき間、７０  支持台、７１  旋回座軸受、７２  ナセル、７３  ケーシング、７４  軸受ハウジング、７５  主軸支持軸受、７６  主軸、７７  ブレード、７８  増速機、７９  発電機、８０  旋回用モータ、８１  減速機。
【図１】
2008298274.tif 000003
【図２】
2008298274.tif 000004
【図３】
2008298274.tif 000005
【図４】
2008298274.tif 000006
【図５】
2008298274.tif 000007
【図６】
2008298274.tif 000008
【図７】
2008298274.tif 000009
【図８】
2008298274.tif 000010
【図９】
2008298274.tif 000011
【図１０】
2008298274.tif 000012